(57)【要約】【課題】紙葉類収納カセットを紙葉類処理装置から取り外したときに、紙葉類収納部に収納された紙葉類が盗難者等により抜き取られることを防止することができるとともに、収納繰出機構のローラが設けられた箇所において紙葉類の詰まりが発生した場合でもこのような紙葉類の詰まりを解消することができる紙葉類収納カセットおよび紙葉類処理装置を提供する。【解決手段】紙葉類収納カセット１０には、収納繰出機構のローラ２０の回転を規制するローラ回転規制機構が設けられている。ローラ回転規制機構は、紙葉類収納カセット１０が紙葉類処理装置１に装着されたときにはローラ２０を紙葉類の投入方向および投出方向の両方向に回転させ、一方、紙葉類収納カセット１０が紙葉類処理装置１から取り外されたときにはローラ２０を紙葉類の投入方向のみに回転させるようローラ２０の回転を規制する。【選択図】図２
2010061386.tif 000002
【特許請求の範囲】
【請求項１】
紙葉類の処理を行う紙葉類処理装置に着脱自在に収容される紙葉類収納カセットであって、
筐体と、
前記筐体の外部から内部への紙葉類の投入および前記筐体の内部から外部への紙葉類の投出を行うための投出入口と、
前記筐体の内部に設けられ、前記投出入口により前記筐体の外部から内部に投入された紙葉類が収納される紙葉類収納部と、
前記筐体の内部に設けられ、前記投出入口により前記筐体の外部から内部に投入された紙葉類を前記紙葉類収納部に送るとともに前記紙葉類収納部に収納された紙葉類を前記投出入口に繰り出すローラを有する収納繰出機構と、
前記収納繰出機構のローラの回転を規制するローラ回転規制機構であって、前記紙葉類収納カセットが前記紙葉類処理装置に装着されたときには前記ローラを紙葉類の投入方向および投出方向の両方向に回転させ、前記紙葉類収納カセットが前記紙葉類処理装置から取り外されたときには前記ローラを紙葉類の投入方向のみに回転させるよう前記ローラの回転を規制するようなローラ回転規制機構と、
を備えたことを特徴とする紙葉類収納カセット。
【請求項２】
前記ローラ回転規制機構は、前記収納繰出機構の前記ローラと同期して回転する軸と、前記軸の近傍において移動自在に設けられたロック部材とを有し、
前記紙葉類収納カセットが前記紙葉類処理装置に収容されたときには前記ロック部材は前記軸から離間し、前記紙葉類収納カセットが前記紙葉類処理装置から取り外されたときには前記ロック部材は前記軸に係合し、前記ロック部材は、前記軸が係合されたときにこの軸を紙葉類の投入方向には回転させるが紙葉類の投出方向には回転させないような形状となっていることを特徴とする請求項１記載の紙葉類収納カセット。
【請求項３】
前記ロック部材は凹部を有し、前記紙葉類収納カセットが前記紙葉類処理装置から取り外されたときには前記軸は前記ロック部材の凹部に挿入されるようになっており、前記凹部は、前記軸が挿入されたときにこの軸を紙葉類の投入方向には回転させるが紙葉類の投出方向には回転させないような形状となっていることを特徴とする請求項２記載の紙葉類収納カセット。
【請求項４】
前記軸は、前記ロック部材の凹部に挿入されたときにこの凹部に接触する箇所において周方向において部分的に平面形状となっており、前記凹部は、前記軸が挿入された際にこの軸と略平行に延びる互いに対向する第１の側面部分および第２の側面部分とを有し、第１の側面部分は略平面形状となっており、第２の側面部分は前記凹部の開口部分に向かって広がるようなテーパ形状となっており、前記軸が紙葉類の投出方向に回転しようとしたときにこの軸の平面形状部分が前記凹部の第１の側面部分に当接することにより当該軸の回転が規制され、前記軸が紙葉類の投入方向に回転しようとしたときにこの軸の平面形状部分が前記凹部の第２の側面部分に当接することにより当該軸の回転が許容されるようになっていることを特徴とする請求項３記載の紙葉類収納カセット。
【請求項５】
前記紙葉類収納カセットには、当該紙葉類収納カセットが前記紙葉類処理装置に収容されたときにこの紙葉類処理装置に設けられたラック部材と噛み合うようなピニオン部材が設けられており、
前記ピニオン部材は前記ローラ回転規制機構のロック部材と接続されており、前記ピニオン部材が前記ラック部材と噛み合って回転することにより前記ロック部材が移動するようになっていることを特徴とする請求項２記載の紙葉類収納カセット。
【請求項６】
前記ピニオン部材が前記ラック部材と噛み合っていないときには前記ロック部材は前記軸に係合しており、前記ピニオン部材が前記ラック部材と噛み合って回転したときに前記ロック部材は前記軸から離間するよう移動するようになっていることを特徴とする請求項５記載の紙葉類収納カセット。
【請求項７】
紙葉類の収納や投出を行う紙葉類処理装置であって、
請求項１乃至６のいずれか一項に記載の紙葉類収納カセットを備えたことを特徴とする紙葉類処理装置。
【発明の詳細な説明】
【技術分野】
【０００１】
本発明は、紙幣や小切手等の紙葉類の収納を行う紙葉類収納カセットおよびこの紙葉類収納カセットを備えた紙葉類処理装置に関し、とりわけ、紙葉類収納カセットを紙葉類処理装置から取り外したときに、紙葉類収納部に収納された紙葉類が盗難者等により抜き取られることを防止することができるとともに、収納繰出機構のローラが設けられた箇所において紙葉類の詰まりが発生した場合でもこのような紙葉類の詰まりを解消することができる紙葉類収納カセットおよび紙葉類処理装置に関する。
【背景技術】
【０００２】
従来より、紙幣や小切手等の紙葉類の収納や投出を行う紙葉類処理装置に、紙葉類収納カセットが着脱自在に収容されていることが知られている。このような紙葉類収納カセットは、略直方体形状の筐体と、筐体の上面に設けられ、当該筐体の外部から内部への紙葉類の投入および筐体の内部から外部への紙葉類の投出を行うための投出入口と、筐体の内部に設けられ、投出入口により筐体の外部から内部に投入された紙葉類が収納される紙葉類収納部と、を備えている。
【０００３】
従来の紙葉類収納カセットでは、紙葉類収納部に収納された紙葉類を投出入口に繰り出すような収納繰出機構が筐体の内部に設けられていないタイプのものがあった。このようなタイプの紙葉類収納カセットでは、収納繰出機構が設けられる代わりにシャッター機構が投出入口に設けられており、このシャッター機構により投出入口の開閉を行うようになっている。そして、紙葉類収納カセットの筐体の内部から外部へ紙葉類の投出を行う際には、紙葉類収納カセットのシャッター機構により投出入口を開いた後、紙葉類処理装置に設けられた収納繰出機構によって紙葉類収納カセットの紙葉類収納部に収納された紙葉類の繰り出しを行うようになっている。
【０００４】
また、従来の紙葉類収納カセットにおいて、紙葉類収納部に収納された紙葉類を投出入口に繰り出すような収納繰出機構が筐体の内部に設けられているタイプのものもある。このようなタイプの紙葉類収納カセットでは、収納繰出機構は、投出入口により筐体の外部から内部に投入された紙葉類を紙葉類収納部に送るとともにこの紙葉類収納部に収納された紙葉類を投出入口に繰り出すようになっている。ここで、収納繰出機構は、筐体の上面に設けられた投出入口の近傍に設置されている。
【０００５】
収納繰出機構が筐体の内部に設けられているような紙葉類収納カセットでは、例えば特許文献１等に示すように、収納繰出機構を構成するローラの近傍にこのローラの回転を規制するためのロック機構が設けられている。そして、紙葉類収納カセットが紙葉類処理装置に装着された場合は、ロック機構はローラを紙葉類の投入方向および投出方向の両方向に回転させ、一方、紙葉類収納カセットが紙葉類処理装置から取り外された場合は、ロック機構はローラを回転させないようになっている。このことにより、紙葉類収納カセットが紙葉類処理装置から取り外されたときには、この紙葉類収納カセットの紙葉類収納部に収納された紙葉類を投出入口から抜き取ることができないようになっている。
【０００６】
【特許文献１】特開２００６−２７８７０号公報
【発明の開示】
【発明が解決しようとする課題】
【０００７】
しかしながら、収納繰出機構が紙葉類収納カセットの筐体の内部に設けられておらず、シャッター機構が紙葉類収納カセットの投出入口に設けられているようなタイプの紙葉類収納カセットにおいては、シャッター機構は故障しがちでありこのシャッター機構は様々なトラブルの原因になりやすいという問題がある。また、このような紙葉類収納カセットでは、紙葉類収納カセットのシャッター機構により投出入口を開いた後、紙葉類処理装置に設けられた収納繰出機構によって紙葉類収納カセットの紙葉類収納部に収納された紙葉類の繰り出しを行うようになっているが、このような収納繰出機構による紙葉類の繰り出し方法は様々なトラブルの原因になりやすいという問題がある。
【０００８】
また、例えば特許文献１等に示すような紙葉類収納カセットにおいては、収納繰出機構のローラが設けられた箇所において紙葉類の詰まり（ジャム）が発生した場合に、紙葉類収納カセットを紙葉類処理装置から取り外すとこのローラはロック機構により完全に固定されるため、この詰まりが発生した紙葉類を収納繰出機構から手動で取り出すことが困難であるという問題がある。このため、このタイプの紙葉類収納カセットには、収納繰出機構のローラが設けられた箇所で詰まりが発生した紙葉類を収納繰出機構から取り出すための専用の機構を別途設けなければならない。
【０００９】
また、上述のような紙葉類収納カセットにおいて、収納繰出機構のローラの回転を規制するためのロック機構を設けなかった場合には、紙葉類収納カセットを紙葉類処理装置から取り外した場合でもローラは紙葉類の投入方向および投出方向の両方向に自在に回転することができるようになるため、紙葉類の投出方向にローラを回転させれば誰でも紙葉類収納カセットの紙葉類収納部に収納された紙葉類を抜き取ることができるようになり、防犯上問題があった。
【００１０】
本発明は、このような点を考慮してなされたものであり、紙葉類収納カセットを紙葉類処理装置から取り外したときに、ローラを紙葉類の投出方向に回転させることができなくなるため紙葉類収納部に収納された紙葉類が例えば盗難者等により抜き取られることを防止することができ、また、収納繰出機構のローラが設けられた箇所において紙葉類の詰まりが発生した場合でも、紙葉類収納カセットを紙葉類処理装置から取り外した後、ローラを紙葉類の投入方向に回転させることによりこのような紙葉類の詰まりを解消することができる紙葉類収納カセットおよびこの紙葉類収納カセットを備えた紙葉類処理装置を提供することを目的とする。
【課題を解決するための手段】
【００１１】
本発明の紙葉類収納カセットは、紙葉類の処理を行う紙葉類処理装置に着脱自在に収容される紙葉類収納カセットであって、筐体と、前記筐体の外部から内部への紙葉類の投入および前記筐体の内部から外部への紙葉類の投出を行うための投出入口と、前記筐体の内部に設けられ、前記投出入口により前記筐体の外部から内部に投入された紙葉類が収納される紙葉類収納部と、前記筐体の内部に設けられ、前記投出入口により前記筐体の外部から内部に投入された紙葉類を前記紙葉類収納部に送るとともに前記紙葉類収納部に収納された紙葉類を前記投出入口に繰り出すローラを有する収納繰出機構と、前記収納繰出機構のローラの回転を規制するローラ回転規制機構であって、前記紙葉類収納カセットが前記紙葉類処理装置に装着されたときには前記ローラを紙葉類の投入方向および投出方向の両方向に回転させ、前記紙葉類収納カセットが前記紙葉類処理装置から取り外されたときには前記ローラを紙葉類の投入方向のみに回転させるよう前記ローラの回転を規制するようなローラ回転規制機構と、を備えたことを特徴とする。
【００１２】
このような紙葉類収納カセットによれば、ローラ回転規制機構は、紙葉類収納カセットが紙葉類処理装置に装着されたときにはローラを紙葉類の投入方向および投出方向の両方向に回転させ、一方、紙葉類収納カセットが紙葉類処理装置から取り外されたときにはローラを紙葉類の投入方向のみに回転させるようローラの回転を規制する。このため、紙葉類収納カセットを紙葉類処理装置から取り外したときにローラを紙葉類の投出方向に回転させることができなくなるため紙葉類収納部に収納された紙葉類が例えば盗難者等により抜き取られることを防止することができる。また、収納繰出機構のローラが設けられた箇所において紙葉類の詰まりが発生した場合でも、紙葉類収納カセットを紙葉類処理装置から取り外した後、ローラを紙葉類の投入方向に例えば手動で回転させることによりこのような紙葉類の詰まりを解消することができる。
【００１３】
本発明の紙葉類収納カセットにおいては、前記ローラ回転規制機構は、前記収納繰出機構の前記ローラと同期して回転する軸と、前記軸の近傍において移動自在に設けられたロック部材とを有し、前記紙葉類収納カセットが前記紙葉類処理装置に収容されたときには前記ロック部材は前記軸から離間し、前記紙葉類収納カセットが前記紙葉類処理装置から取り外されたときには前記ロック部材は前記軸に係合し、前記ロック部材は、前記軸が係合されたときにこの軸を紙葉類の投入方向には回転させるが紙葉類の投出方向には回転させないような形状となっていることが好ましい。このような紙葉類収納カセットによれば、収納繰出機構のローラの回転を規制するローラ回転規制機構の構成をシンプルなものとすることができる。
【００１４】
この場合、前記ロック部材は凹部を有し、前記紙葉類収納カセットが前記紙葉類処理装置から取り外されたときには前記軸は前記ロック部材の凹部に挿入されるようになっており、前記凹部は、前記軸が挿入されたときにこの軸を紙葉類の投入方向には回転させるが紙葉類の投出方向には回転させないような形状となっていることがより好ましい。
【００１５】
ここで、前記軸は、前記ロック部材の凹部に挿入されたときにこの凹部に接触する箇所において周方向において部分的に平面形状となっており、前記凹部は、前記軸が挿入された際にこの軸と略平行に延びる互いに対向する第１の側面部分および第２の側面部分とを有し、第１の側面部分は略平面形状となっており、第２の側面部分は前記凹部の開口部分に向かって広がるようなテーパ形状となっており、前記軸が紙葉類の投出方向に回転しようとしたときにこの軸の平面形状部分が前記凹部の第１の側面部分に当接することにより当該軸の回転が規制され、前記軸が紙葉類の投入方向に回転しようとしたときにこの軸の平面形状部分が前記凹部の第２の側面部分に当接することにより当該軸の回転が許容されるようになっていることが更に好ましい。
【００１６】
また、前記紙葉類収納カセットには、当該紙葉類収納カセットが前記紙葉類処理装置に収容されたときにこの紙葉類処理装置に設けられたラック部材と噛み合うようなピニオン部材が設けられており、前記ピニオン部材は前記ローラ回転規制機構のロック部材と接続されており、前記ピニオン部材が前記ラック部材と噛み合って回転することにより前記ロック部材が移動するようになっていることが好ましい。
【００１７】
この場合、前記ピニオン部材が前記ラック部材と噛み合っていないときには前記ロック部材は前記軸に係合しており、前記ピニオン部材が前記ラック部材と噛み合って回転したときに前記ロック部材は前記軸から離間するよう移動するようになっていることが好ましい。
【００１８】
本発明の紙葉類処理装置は、紙葉類の収納や投出を行う紙葉類処理装置であって、上述した紙葉類収納カセットを備えたことを特徴とする。
【発明の効果】
【００１９】
本発明の紙葉類収納カセットおよびこの紙葉類収納カセットを備えた紙葉類処理装置によれば、紙葉類収納カセットを紙葉類処理装置から取り外したときに、紙葉類収納部に収納された紙葉類が盗難者等により抜き取られることを防止することができるとともに、収納繰出機構のローラが設けられた箇所において紙葉類の詰まりが発生した場合でもこのような紙葉類の詰まりを解消することができる。
【発明を実施するための最良の形態】
【００２０】
以下、図面を参照して本発明の一の実施の形態について説明する。図１乃至図６は、本実施の形態に係る紙葉類収納カセットおよび紙葉類処理装置を示す図である。このうち、図１は、本実施の形態における紙葉類収納カセットの外観を示す斜視図であり、図２は、図１に示す紙葉類収納カセットの内部の構成の概略を示す構成図である。また、図３は、図２の示す紙葉類収納カセットにおけるローラ回転規制機構の構成を示す構成図であり、図４は、図３に示すローラ回転規制機構におけるロック部材およびプーリの軸の構成を示す構成図である。また、図５は、図３、図４に示すローラ回転規制機構におけるプーリの軸の構成の詳細を示す構成図である。また、図６は、図１に示す紙葉類収納カセットが装填された紙葉類処理装置の構成の概略を示す構成図である。
【００２１】
図６に示すように、図１に示すような紙葉類収納カセット１０は、概して、紙葉類の収納や投出を行うための紙葉類処理装置１に着脱自在に収容されている。そして、紙葉類収納カセット１０が紙葉類処理装置１に収容されたときに、この紙葉類処理装置１の本体部分から紙葉類が１枚ずつ紙葉類収納カセット１０に送られたり、この紙葉類収納カセット１０から紙葉類が１枚ずつ紙葉類処理装置１の本体部分に戻されたりするようになっている。
【００２２】
まず、紙葉類処理装置１の構成の概略について図６を用いて簡単に説明する。図６は、図１に示す紙葉類収納カセット１０が複数（具体的には例えば３つ）装填された紙葉類処理装置１の構成の概略を示す構成図である。
【００２３】
図６に示すように、紙葉類処理装置１は、筐体６と、操作者により紙幣や小切手等の紙葉類が投入される紙葉類投入部２と、筐体６の内部に投入された紙葉類を搬送する搬送部４と、搬送部４に介設された識別部５と、紙葉類が筐体６の内部から外部に投出される紙葉類投出部３とを備えている。また、搬送部４には、各々の紙葉類収納カセット１０の投出入口１６（後述）が接続されており、紙葉類処理装置１の搬送部４から紙葉類が１枚ずつ紙葉類収納カセット１０に送られたり、この紙葉類収納カセット１０から紙葉類が１枚ずつ紙葉類処理装置１の搬送部４に戻されたりするようになっている。
【００２４】
図６に示すような紙葉類処理装置１においては、操作者により紙葉類投入部２に投入された紙葉類は１枚ずつ搬送部４に繰り出される。紙葉類投入部２から搬送部４に繰り出された紙葉類は当該搬送部４で１枚ずつ搬送され、この搬送部４に介設された識別部５により金種、真偽、正損等の識別が行われる。識別部５により識別することができなかった紙葉類や、正常な紙葉類ではないと識別された紙葉類は紙葉類投出部３に搬送され、操作者によりこの紙葉類投出部３に送られた紙葉類が取り出されることとなる。一方、識別部５により正常な紙葉類であると識別された紙葉類は、金種別に各紙葉類収納カセット１０に収納される。
【００２５】
紙葉類処理装置１から紙葉類の投出動作を行う際には、まず、各紙葉類収納カセット１０に収納された紙葉類が１枚ずつ搬送部４に戻される。搬送部４に戻された紙葉類は当該搬送部４で１枚ずつ搬送され、識別部５により金種等の識別が行われる。識別部５により識別が行われた紙葉類は紙葉類投出部３に搬送され、操作者によりこの紙葉類投出部３に送られた紙葉類が取り出されることとなる。
【００２６】
なお、紙葉類処理装置１の構成は、図６に示すようなものに限定されることはなく、紙葉類の収納や投出等の処理を行うことができるとともに１または複数の紙葉類収納カセット１０が着脱自在に収容されるものであれば、他の構成とすることができる。
【００２７】
次に、紙葉類収納カセット１０の構成について図１乃至図５を用いて説明する。図１に示すように、紙葉類収納カセット１０は、略直方体形状の筐体１２を有し、紙葉類をこの筐体１２の内部に収納するようになっている。図１に示すように、紙葉類収納カセット１０において、投出入口１６が筐体１２の上面に設けられている。この投出入口１６は、筐体１２の外部（具体的には、紙葉類処理装置１の搬送部４）から内部への紙葉類の投入および筐体１２の内部から外部への紙葉類の投出を行うために用いられるようになっている。また、紙葉類収納カセット１０の上部には把持部１４が設けられており、操作者はこの把持部１４を持つことにより紙葉類収納カセット１０の持ち運びを行うことができるようになっている。
【００２８】
次に、図２を用いて紙葉類収納カセット１０の内部の構成の概略について説明する。図２に示すように、紙葉類収納カセット１０の筐体１２の内部には、投出入口１６により筐体１２の外部から内部に投入された紙葉類が集積されるステージ３０が設けられている。このステージ３０は筐体１２の内部において上下方向に往復移動するよう、すなわち昇降するようになっている。また、図２に示すように、ステージ３０が昇降する範囲を覆うよう、鉛直方向に延びる案内部材３１、３２が設けられており、ステージ３０上に集積された紙葉類は案内部材３１、３２により当該ステージ３０上に集積された状態から位置がずれないようになっている。
【００２９】
ステージ３０には、当該ステージ３０を昇降させるステージ駆動機構（図示せず）が接続されている。ステージ駆動機構は、紙葉類を筐体１２の外部から内部に投入する際には、ステージ３０を降下させるようになっている。一方、ステージ駆動機構は、紙葉類を筐体１２の内部から外部に投出する際には、ステージ３０を上昇させるようになっている。これらのステージ３０、案内部材３１、３２およびステージ駆動機構により紙葉類収納部が構成されている。
【００３０】
筐体１２の内部には収納繰出機構が設けられている。この収納繰出機構は、投出入口１６により筐体１２の外部から内部に投入された紙葉類をステージ３０上に送るとともに、ステージ３０上に集積された紙葉類を投出入口１６に繰り出すようになっている。この収納繰出機構は、筐体１２の内部における上部領域に設けられた、フィードローラ２０、ゲートローラ２２およびキッカローラ２４から構成されている。これらのフィードローラ２０、ゲートローラ２２およびキッカローラ２４は、図２の右方から見て左右一対のものとなっている。また、フィードローラ２０およびゲートローラ２２は互いに当接しており、これらのフィードローラ２０とゲートローラ２２との間にはニップ部が形成されている。
【００３１】
キッカローラ２４はステージ３０の真上の位置に設けられている。このキッカローラ２４には軸２４ａが設けられており、この軸２４ａを中心として回転するようになっている。具体的には、キッカローラ２４は、紙葉類を筐体１２の内部から外部に投出する際に図２において反時計回りに回転するようになっている。そして、キッカローラ２４は、紙葉類を筐体１２の内部から外部に投出する際にステージ３０が上昇したときに、このステージ３０に集積された紙葉類のうち最も上方にある紙葉類の表面に当接し、この当接した紙葉類をフィードローラ２０とゲートローラ２２との間のニップ部に（すなわち、図２の右方向に向かって）蹴り出すようになっている。
【００３２】
フィードローラ２０には軸２０ａが設けられており、この軸２０ａを中心として回転するようになっている。具体的には、フィードローラ２０は、紙葉類を筐体１２の外部から内部に投入する際には図２において時計回りに回転し、投出入口１６から紙葉類搬送路１８（後述）を経てフィードローラ２０に送られた紙葉類をステージ３０上に送るようになっている。一方、フィードローラ２０は、紙葉類を筐体１２の内部から外部に投出する際には図２において反時計回りに回転し、キッカローラ２４によりフィードローラ２０とゲートローラ２２との間のニップ部に送られた紙葉類を紙葉類搬送路１８に送るようになっている。このフィードローラ２０は、図示しないフィードローラ駆動機構がプーリ４４に接続されることにより図２における時計回りまたは反時計回りに連続的に回転させられるようになっている。
【００３３】
ゲートローラ２２は、図２に示すようにフィードローラ２０に対して当接するよう設けられている。このゲートローラ２２には軸２２ａが設けられている。軸２２ａはその位置が固定されており、回転しないようになっている。また、ゲートローラ２２と軸２２ａとの間にはトルクリミッタ（図示せず）が配設されている。このトルクリミッタは、ゲートローラ２２に対して周方向に沿って予め設定された設定トルク以上の力が加えられたときには、軸２２ａに対するゲートローラ２２の回転を許容するようになっている。一方、トルクリミッタは、ゲートローラ２２に加えられる周方向の力が設定トルクよりも小さいときにはゲートローラ２２と軸２２ａとを連動させるようになっている。すなわち、この場合には、軸２２ａが固定されているので、ゲートローラ２２も回転しないようになっている。
【００３４】
ゲートローラ２２と軸２２ａとの間には上述のようなトルクリミッタが設けられているので、フィードローラ２０とゲートローラ２２との間のニップ部に紙葉類が送られない場合には、前述のようにフィードローラ２０はフィードローラ駆動機構により連続的に回転しており、フィードローラ２０とゲートローラ２２は当接しているのでこのゲートローラ２２にもフィードローラ２０による連れ回りの力がかかることになる。このようなゲートローラ２２にかかる連れ回りの力はトルクリミッタにおける設定トルクよりも大きいため、軸２２ａに対するゲートローラ２２の回転が許容され、ゲートローラ２２はフィードローラ２０に連れ回るようになる。
【００３５】
一方、１枚の紙葉類がフィードローラ２０とゲートローラ２２との間のニップ部に送られると、この紙葉類がフィードローラ２０とゲートローラ２２との間に挟まれるためゲートローラ２２にはフィードローラ２０による連れ回りの力がかからなくなり、このゲートローラ２２に加えられる周方向の力は設定トルクよりも小さくなる。このため、トルクリミッタによりゲートローラ２２と軸２２ａとが連動させられ、軸２２ａが固定されているのでゲートローラ２２も回転しないようになる。このように、フィードローラ２０により紙葉類を紙葉類搬送路１８からステージ３０上に送ったり、ステージ３０上の紙葉類を紙葉類搬送路１８に送ったりする際には、ゲートローラ２２は回転しないこととなる。
【００３６】
紙葉類搬送路１８は、フィードローラ２０とゲートローラ２２との間のニップ部から、投出入口１６まで延びるよう設けられている。このような紙葉類搬送路１８には複数の案内ローラ２５、２６、２７が設けられており、筐体１２の外部から投出入口１６に投入された紙葉類は紙葉類搬送路１８に沿って案内ローラ２５、２６、２７によりフィードローラ２０とゲートローラ２２との間のニップ部に送られるようになっている。また、紙葉類を筐体１２の内部から外部に投出する際に、フィードローラ２０によりこのフィードローラ２０とゲートローラ２２との間のニップ部から繰り出された紙葉類は、紙葉類搬送路１８に沿って案内ローラ２５、２６、２７により投出入口１６に送られるようになっている。
【００３７】
また、筐体１２の内部におけるフィードローラ２０やゲートローラ２２の近傍には札叩き用羽根車（図示せず）が設けられている。この札叩き用羽根車は例えばゴムから形成されており、フィードローラ２０からステージ３０に送られる紙葉類を叩くようになっている。また、筐体１２の内部におけるフィードローラ２０やゲートローラ２２の近傍にはコシ付け部材（図示せず）が設けられている。このコシ付け部材は例えばステンレス鋼等の金属から形成されており、フィードローラ２０からステージ３０に送られる紙葉類を波形状に変形させてコシを付けるようになっている。
【００３８】
また、紙葉類収納カセット１０には、収納繰出機構のフィードローラ２０の回転を規制するローラ回転規制機構が設けられている。このようなローラ回転規制機構の詳細について、図２乃至図５を用いて説明する。
【００３９】
図２に示すように、フィードローラ２０にはプーリ４２が同軸となるよう取り付けられている。すなわち、プーリ４２はフィードローラ２０と同期して軸２０ａを中心として回転するようになっている。また、図２に示すように、紙葉類収納カセット１０の筐体１２の底部近傍にもプーリ４４が設けられている。プーリ４４には軸４４ａが取り付けられており、プーリ４４はこの軸４４ａを中心として図２の時計回りおよび反時計回りの両方向に回転することができるようになっている。
【００４０】
そして、これらのプーリ４２、４４には例えばゴムベルトからなる循環ベルト４０が張架されている。このため、紙葉類を紙葉類収納カセット１０の筐体１２の外部から内部に投入する際には、フィードローラ駆動機構によってプーリ４４が駆動し、それに伴ってプーリ４２、フィードローラ２０が循環ベルト４０の動作によって図２の時計回りの方向に回転することとなる。一方、紙葉類を紙葉類収納カセット１０の筐体１２の内部から外部に投出する際には、フィードローラ駆動機構によってプーリ４４が駆動し、それに伴ってプーリ４２、フィードローラ２０が循環ベルト４０の動作によって図２の反時計回りの方向に回転することとなる。そして、プーリ４４の回転が後述するロック部材４６により規制されると、すなわちロック部材４６によりプーリ４４が回転しないよう固定されると、プーリ４２の回転も規制され、当該プーリ４２が同軸となるよう取り付けられたフィードローラ２０の回転も規制されるようになっている。この場合、フィードローラ２０を例えば手動により回転させようとしても、このフィードローラ２０は停止したままとなる。
【００４１】
図３に示すように、プーリ４４に取り付けられた軸４４ａの近傍にはロック部材４６が設けられている。このロック部材４６には軸４６ａが設けられており、ロック部材４６は軸４６ａを中心として揺動自在となっている。ロック部材４６には、プーリ４４に取り付けられた軸４４ａを挿入することができる凹部４６ｂが設けられている。ここで、図３（ａ）は、紙葉類収納カセット１０が紙葉類処理装置１から取り外されたときの状態を示す図であり、図３（ｂ）は、紙葉類処理装置１に紙葉類収納カセット１０を装填し始めたときの状態を示す図であり、（ｃ）は、紙葉類処理装置１に紙葉類収納カセット１０を装填し終えたときの状態を示す図である。
【００４２】
図３（ｃ）に示すように、紙葉類収納カセット１０が紙葉類処理装置１に装着されたときにはロック部材４６がプーリ４４の軸４４ａから離間するようになっている。一方、図３（ａ）に示すように、紙葉類収納カセット１０が紙葉類処理装置１から取り外されたときにはプーリ４４の軸４４ａがロック部材４６の凹部４６ｂに挿入されるようになっている。そして、ロック部材４６に設けられた凹部４６ｂは、プーリ４４の軸４４ａが挿入されたときにこの軸４４ａを紙葉類の投入方向（図２、図３における時計回りの方向）には回転させるが、紙葉類の投出方向（図２、図３における反時計回りの方向）には回転させないような形状となっている。この凹部４６ｂの形状の詳細については後述する。
【００４３】
図３に示すように、ロック部材４６の上部にはバネ５６が取り付けられており、このバネ５６は、紙葉類収納カセット１０の筐体１２の内壁に対して位置固定で設置された固定部材５４に取り付けられている。ここで、ロック部材４６と固定部材５４との間に設けられたバネ５６には常に圧縮しようとする力が掛けられており、このため、ロック部材４６にはバネ５６により常に図３の上方に向かって力が付勢されている。すなわち、ロック部材４６に対して下方向の力が何ら加えられていないときには、このロック部材４６はバネ５６により上方向に引っ張られ、このロック部材４６の凹部４６ｂにプーリ４４の軸４４ａが挿入されることとなる（図３（ａ）（ｂ）参照）。一方、後述するカム部材５０により、バネ５６による上方向の引っ張り力に抗してロック部材４６が下方向に引っ張られたときには、ロック部材４６は軸４６ａを中心として図３の時計回りの方向に回転し、ロック部材４６の凹部４６ｂからプーリ４４の軸４４ａが外れることとなる（図３（ｃ）参照）。
【００４４】
ロック部材４６の下部にはピン４８が取り付けられている。また、ロック部材４６の下方には細長いカム部材５０が設けられている。このカム部材５０は、紙葉類収納カセット１０に設けられたピニオン部材５２に接続されている。ピニオン部材５２には軸５２ａが設けられており、この軸５２ａを中心として回転するようになっている。また、図３に示すように、ピニオン部材５２には櫛歯部分５２ｂが設けられている。そして、細長いカム部材５０の一端には軸５０ａが設けられており、この軸５０ａによりカム部材５０はピニオン部材５２に枢支されている。ここで、カム部材５０の軸５０ａは、ピニオン部材５２の軸５２ａから外れた位置に設けられている。また、カム部材５０には当該カム部材５０の長手方向に沿った細長い開口部５０ｂが設けられており、この開口部５０ｂにロック部材４６のピン４８が挿入されている。このようにして、ロック部材４６はカム部材５０に接続されている。図３（ａ）〜（ｃ）に示すように、ロック部材４６に取り付けられたピン４８は、カム部材５０の他端に設けられた細長い開口部５０ｂに沿って案内されるようになっている。
【００４５】
また、紙葉類処理装置１の筐体６の内壁にはラック部材６０が設けられている。このラック部材６０には櫛歯部分６０ａが設けられている。そして、図３（ａ）に示すように、紙葉類収納カセット１０が紙葉類処理装置１から取り外されたときの状態においては、紙葉類収納カセット１０に設けられたピニオン部材５２は紙葉類処理装置１に設けられたラック部材６０から離間しているが、図３（ｂ）に示すように、紙葉類処理装置１に紙葉類収納カセット１０を装填し始めたときにこの紙葉類収納カセット１０に設けられたピニオン部材５２の櫛歯部分５２ｂが紙葉類処理装置１に設けられたラック部材６０の櫛歯部分６０ａと噛み合い、紙葉類収納カセット１０を紙葉類処理装置１に装着するにつれて、すなわち図３（ｂ）に示す状態から図３（ｃ）に示す状態となるにつれて、ピニオン部材５２が軸５２ａを中心として図３の反時計回りに回転することとなる。
【００４６】
ピニオン部材５２が軸５２ａを中心として図３の反時計回りに回転すると、カム部材５０の軸５０ａもピニオン部材５２の軸５２ａを中心として図３の反時計回りに回転し、このカム部材５０は下方に移動させられることとなる。このことにより、ピン４８によりカム部材５０に接続されたロック部材４６が下方に引っ張られることとなり、図３（ｃ）に示すようにこのロック部材４６は軸４６ａを中心として図３の時計回りに回転させられる。このようにして、ロック部材４６の凹部４６ｂからプーリ４４の軸４４ａが外れることとなる。
【００４７】
次に、図３に示すローラ回転規制機構におけるロック部材４６およびプーリ４４の軸４４ａの構成の詳細について図４および図５を用いて説明する。ここで、図４（ａ）は、プーリ４４の軸４４ａがロック部材４６の凹部４６ｂに挿入されたときの状態を示す図であり、（ｂ）は、（ａ）に示す状態からプーリ４４の軸４４ａを紙葉類の投入方向（図４における時計回りの方向）に回転させたときの状態を示す図であり、（ｃ）は、（ｂ）に示す状態からプーリ４４の軸４４ａを紙葉類の投入方向に更に回転させたときの状態を示す図である。また、図５は、図４に示すローラ回転規制機構におけるプーリ４４の軸４４ａの構成の詳細を示す構成図であって、図５（ａ）は、プーリ４４の軸４４ａを上方から見たときの上面図であり、図５（ｂ）は、図５（ａ）に示すプーリ４４の軸４４ａのＡ−Ａ矢視断面図である。なお、図５（ａ）において、参考のためロック部材４６を二点鎖線で示している。
【００４８】
図４および図５、とりわけ図５（ｂ）に示すように、プーリ４４の軸４４ａは、ロック部材４６の凹部４６ｂに挿入されたときのこの凹部４６ｂに接触する箇所において軸４４ａの周方向に沿って部分的に平面形状となっている。具体的には、図５（ａ）（ｂ）に示すように、プーリ４４の軸４４ａには、当該軸４４ａの中心に対して対称の位置に設けられる一対の平面形状部分４４ｃと、図５（ｂ）に示すような軸４４ａの断面において一対の平面形状部分４４ｃの間にそれぞれ設けられる一対の周形状部分４４ｂとが設けられている。
【００４９】
また、図４に示すように、ロック部材４６の凹部４６ｂは、プーリ４４の軸４４ａが挿入された際にこの軸４４ａと略平行に延びる互いに対向する第１の側面部分４６ｃおよび第２の側面部分４６ｅ、ならびに底面部分４６ｄを有している。ここで、図４に示すように、第１の側面部分４６ｃおよび底面部分４６ｄは略平面形状となっており、これらの第１の側面部分４６ｃおよび底面部分４６ｄはほぼ直交している。第１の側面部分４６ｃの高さは、軸４４ａの直径と略同一の大きさとなっており、一方、底面部分４６ｄの幅の大きさは、軸４４ａの直径よりもわずかに小さくなっている。
【００５０】
また、第２の側面部分４６ｅは、凹部４６ｂの開口部分に向かって、すなわち上方に向かって広がるようなテーパ形状となっている。より具体的には、第２の側面部分４６ｅには、底面部分４６ｄとほぼ直交するような平面形状部分と、第１の側面部分４６ｃから遠ざかるようこの平面形状部分の途中箇所から傾斜した傾斜部分とが設けられている。第２の側面部分４６ｅの高さは、軸４４ａの直径よりも小さくなっている。
【００５１】
そして、図４（ａ）に示すような、プーリ４４の軸４４ａがロック部材４６の凹部４６ｂに挿入されたときの状態において、プーリ４４の軸４４ａを紙葉類の投出方向、すなわち図４（ａ）の矢印Ｐの方向に回転させた場合には、プーリ４４の軸４４ａに設けられた平面形状部分４４ｃがロック部材４６の凹部４６ｂの第１の側面部分４６ｃに当接することにより、このプーリ４４の軸４４ａの回転が規制され、軸４４ａは図４（ａ）に示すような状態からこれ以上回転しなくなる。
【００５２】
一方、図４（ａ）に示すような、プーリ４４の軸４４ａがロック部材４６の凹部４６ｂに挿入されたときの状態において、プーリ４４の軸４４ａを紙葉類の投入方向、すなわち図４（ａ）の矢印Ｑの方向に回転させた場合には、このプーリ４４の軸４４ａに設けられた平面形状部分４４ｃがロック部材４６の凹部４６ｂの第２の側面部分４６ｅに当接する。ここで、第２の側面部分４６ｅは、凹部４６ｂの開口部分に向かって、すなわち上方に向かって広がるようなテーパ形状となっているので、軸４４ａの平面形状部分４４ｃが凹部４６ｂの第２の側面部分４６ｅに当接した場合であっても、この軸４４ａの回転が凹部４６ｂにより規制されることはなく、軸４４ａの回転が許容されることとなる。このため、プーリ４４の軸４４ａは図４（ａ）に示す状態から矢印Ｑの方向に回転し、図４（ｂ）に示すような状態となり、図４（ｂ）に示すような状態から軸４４ａが更に図４（ｂ）の時計回りに回転すると図４（ｃ）に示すような状態となる。このようにして、プーリ４４の軸４４ａを紙葉類の投入方向、すなわち図４（ａ）の矢印Ｑの方向に回転させた場合には、この軸４４ａの回転はロック部材４６の凹部４６ｂにより規制されることはなく、軸４４ａの回転が許容される。
【００５３】
このようにして、ロック部材４６は、プーリ４４の軸４４ａが凹部４６ｂに挿入されたときにこのプーリ４４の軸４４ａを紙葉類の投入方向には回転させるが紙葉類の投出方向には回転させないようになっている。
【００５４】
上述のように、ローラ回転規制機構は、紙葉類収納カセット１０の循環ベルト４０、プーリ４２、４４、ロック部材４６、カム部材５０、ピニオン部材５２等から構成されている。
【００５５】
次に、このような構成からなる紙葉類収納カセット１０の動作について以下に説明する。具体的には、紙葉類収納カセット１０を紙葉類処理装置１に装着したときの状態における動作、および紙葉類収納カセット１０を紙葉類処理装置１から取り外したときの状態における動作についてそれぞれ説明する。
【００５６】
まず、紙葉類収納カセット１０を紙葉類処理装置１に装着したときの状態における動作について説明する。
【００５７】
紙葉類を筐体１２の外部から内部に投入する際に、まず、ステージ駆動機構（図示せず）によりステージ３０を下降させる。このことにより、ステージ３０の上方に紙葉類の収納スペースが設けられることとなる。
【００５８】
その後、投出入口１６により紙葉類が１枚ずつ筐体１２の内部に投入されると、この紙葉類は紙葉類搬送路１８を経てフィードローラ２０とゲートローラ２２との間のニップ部に送られ、このニップ部に送られた紙葉類はフィードローラ２０によりステージ３０上に送られる。この際に、フィードローラ２０からステージ３０に送られる紙葉類は札叩き用羽根車（図示せず）により叩かれることとなる。このため、紙葉類を迅速にステージ３０上に落下させることができるとともに、ステージ３０上で紙葉類が縦向きになることはなく横向きの積層状態で集積されることとなる。また、フィードローラ２０とゲートローラ２２との間のニップ部に送られた紙葉類は、コシ付け部材（図示せず）により波形状に変形させられる。このことにより、紙葉類にコシを付けることができる。
【００５９】
一方、紙葉類を筐体１２の内部から外部に投出する際には、まず、ステージ駆動機構（図示せず）によりステージ３０を上昇させる。このことにより、ステージ３０上に集積された紙葉類を収納繰出機構のキッカローラ２４に当接させることができる。また、ステージ３０を上昇させると、札叩き用羽根車（図示せず）およびコシ付け部材（図示せず）は収納繰出機構から退避し、紙葉類の投出が行われる間に紙葉類がこれらの札叩き用羽根車およびコシ付け部材に当接することはなくなる。
【００６０】
そして、ステージ３０が上昇することによりこのステージ３０上に集積された紙葉類がキッカローラ２４に当接した後、キッカローラ２４により、ステージ３０に集積された紙葉類のうち最も上方にある紙葉類をフィードローラ２０とゲートローラ２２との間のニップ部に蹴り出す。ニップ部に送られた紙葉類は、フィードローラ２０により紙葉類搬送路１８に送られ、この紙葉類は最終的には投出入口１６まで搬送されることとなる。このことにより、紙葉類収納カセット１０の筐体１２の外部へ紙葉類が投出される。
【００６１】
なお、上述のような、筐体１２の外部から内部に紙葉類を投入する場合や、筐体１２の内部から外部に紙葉類を投出する場合において、紙葉類収納カセット１０が紙葉類処理装置１に装着されているので、紙葉類収納カセット１０に設けられたピニオン部材５２および紙葉類処理装置１に設けられたラック部材６０は図３（ｃ）に示すような位置関係となる。このため、プーリ４４の軸４４ａはロック部材４６の凹部４６ｂから完全に外れた位置にあり、この軸４４ａは図３の時計回りおよび反時計回りの両方向に自在に回転させることができるようになる。このため、プーリ４４に張架された循環ベルト４０も自在に循環移動させることができるようになり、プーリ４２も図２の時計回りおよび反時計回りの両方向に自在に回転させることができるようになるので、フィードローラ２０を紙葉類の投入方向および投出方向の両方向に回転させることができるようになる。
【００６２】
一方、紙葉類収納カセット１０の紙葉類収納部に収納された紙葉類を回収する際に、この紙葉類収納カセット１０を紙葉類処理装置１から取り外した場合には、紙葉類収納カセット１０に設けられたピニオン部材５２および紙葉類処理装置１に設けられたラック部材６０は図３（ａ）に示すような位置関係となる。この場合、ロック部材４６はバネ５６により上方向の力が加えられ、このロック部材４６にはバネ５６による引っ張り力に抗する力は加えられることがないので、ロック部材４６はバネ５６により上方向に引っ張られ、このロック部材４６の凹部４６ｂにプーリ４４の軸４４ａが挿入されることとなる。
【００６３】
ロック部材４６の凹部４６ｂにプーリ４４の軸４４ａが挿入された場合、前述のように、このプーリ４４の軸４４ａは紙葉類の投出方向、すなわち図４（ａ）の矢印Ｐの方向には回転させることができなくなる。このため、フィードローラ２０を紙葉類の投出方向に回転させることができなくなる。一方、ロック部材４６の凹部４６ｂにプーリ４４の軸４４ａが挿入された場合であって、このプーリ４４の軸４４ａは紙葉類の投入方向、すなわち図４（ａ）の矢印Ｑの方向には回転させることができる。このため、フィードローラ２０を紙葉類の投入方向に回転させることができる。
【００６４】
ここで、前述のような筐体１２の外部から内部に紙葉類を投入する際に、この紙葉類がフィードローラ２０において詰まった場合であっても（すなわち、フィードローラ２０において紙葉類にジャムが発生した場合であっても）、紙葉類収納カセット１０を紙葉類処理装置１から取り外した後、この紙葉類収納カセット１０の扉を開け、紙葉類収納カセット１０の筐体１２の内部から、フィードローラ２０で詰まった紙葉類を手で引っ張ることにより、このフィードローラ２０が紙葉類の投入方向に回転し、紙葉類の詰まりを解消することができる。
【００６５】
そして、図３（ａ）に示すような、紙葉類収納カセット１０が紙葉類処理装置１から取り外されたような状態から、紙葉類収納カセット１０を紙葉類処理装置１に装着させはじめると、図３（ｂ）に示すように紙葉類収納カセット１０のピニオン部材５２が紙葉類処理装置１のラック部材６０に噛み合い、このピニオン部材５２が回転することにより、バネ５６による上方向の力に抗してロック部材４６がカム部材５０によって下方に引っ張られることとなる。そして、図３（ｃ）に示すように紙葉類収納カセット１０を紙葉類処理装置１に完全に装着させると、カム部材５０によりロック部材４６は大きく下方に引っ張られた状態となり、このロック部材４６の凹部４６ｂからプーリ４４の軸４４ａが完全に外れることとなる。
【００６６】
以上のように本実施の形態の紙葉類収納カセット１０およびこの紙葉類収納カセット１０を備えた紙葉類処理装置１によれば、紙葉類収納カセット１０の循環ベルト４０、プーリ４２、４４、ロック部材４６、カム部材５０、ピニオン部材５２等から構成されるローラ回転規制機構は、紙葉類収納カセット１０が紙葉類処理装置１に装着されたときにはフィードローラ２０を紙葉類の投入方向および投出方向の両方向に回転させ、一方、紙葉類収納カセット１０が紙葉類処理装置１から取り外されたときにはフィードローラ２０を紙葉類の投入方向のみに回転させるようフィードローラ２０の回転を規制する。このため、紙葉類収納カセット１０を紙葉類処理装置１から取り外したときにフィードローラ２０を紙葉類の投出方向に回転させることができなくなるため紙葉類収納部に収納された紙葉類が例えば盗難者等により抜き取られることを防止することができる。また、フィードローラ２０が設けられた箇所において紙葉類の詰まりが発生した場合でも、紙葉類収納カセット１０を紙葉類処理装置１から取り外した後、フィードローラ２０を紙葉類の投入方向に例えば手動で回転させることによりこのような紙葉類の詰まりを解消することができる。
【００６７】
また、ローラ回転規制機構は、フィードローラ２０と同期して回転するプーリ４４の軸４４ａと、プーリ４４の軸４４ａの近傍において移動自在に設けられたロック部材４６とを有し、紙葉類収納カセット１０が紙葉類処理装置１に収容されたときにはロック部材４６はプーリ４４の軸４４ａから離間し、紙葉類収納カセット１０が紙葉類処理装置１から取り外されたときにはロック部材４６はプーリ４４の軸４４ａに係合するようになっている。また、ロック部材４６は、プーリ４４の軸４４ａが係合されたときにこのプーリ４４の軸４４ａを紙葉類の投入方向には回転させるが紙葉類の投出方向には回転させないような形状となっている。このような紙葉類収納カセット１０によれば、収納繰出機構のフィードローラ２０の回転を規制するローラ回転規制機構の構成をシンプルなものとすることができる。
【００６８】
なお、本発明による紙葉類収納カセットおよび紙葉類処理装置は、上記の態様に限定されるものではなく、様々の変更を加えることができる。例えば、収納繰出機構のフィードローラの回転を規制するローラ回転規制機構としては、図２乃至図５に示すような循環ベルト４０、プーリ４２、４４、ロック部材４６、カム部材５０、ピニオン部材５２等から構成されるものに限定されることはない。収納繰出機構のフィードローラの回転を規制するローラ回転規制機構として、紙葉類収納カセットが紙葉類処理装置に装着されたときにはフィードローラを紙葉類の投入方向および投出方向の両方向に回転させ、紙葉類収納カセットが紙葉類処理装置から取り外されたときにはフィードローラを紙葉類の投入方向のみに回転させるようフィードローラの回転を規制するものであれば、他の構成のものを用いることもできる。
【図面の簡単な説明】
【００６９】
【図１】本発明の一の実施の形態における紙葉類収納カセットの外観を示す斜視図である。
【図２】図１に示す紙葉類収納カセットの内部の構成の概略を示す構成図である。
【図３】図２の示す紙葉類収納カセットにおけるローラ回転規制機構の構成を示す構成図であって、（ａ）は、紙葉類収納カセットが紙葉類処理装置から取り外されたときの状態を示す図であり、（ｂ）は、紙葉類処理装置に紙葉類収納カセットを装填し始めたときの状態を示す図であり、（ｃ）は、紙葉類処理装置に紙葉類収納カセットを装填し終えたときの状態を示す図である。
【図４】図３に示すローラ回転規制機構におけるロック部材およびプーリの軸の構成を示す構成図であって、（ａ）は、プーリの軸がロック部材の凹部に挿入されたときの状態を示す図であり、（ｂ）は、（ａ）に示す状態からプーリの軸を紙葉類の投入方向に回転させたときの状態を示す図であり、（ｃ）は、（ｂ）に示す状態からプーリの軸を紙葉類の投入方向に更に回転させたときの状態を示す図である。
【図５】図３、図４に示すローラ回転規制機構におけるプーリの軸の構成の詳細を示す構成図であって、（ａ）は、プーリの軸を上方から見たときの上面図であり、（ｂ）は、（ａ）に示すプーリの軸のＡ−Ａ矢視断面図である。
【図６】図１に示す紙葉類収納カセットが装填された紙葉類処理装置の構成の概略を示す構成図である。
【符号の説明】
【００７０】
１    紙葉類処理装置
２    紙葉類投入部
３    紙葉類投出部
４    搬送部
５    識別部
６    筐体
１０    紙葉類収納カセット
１２    筐体
１４    把持部
１６    投出入口
１８    紙葉類搬送路
２０    フィードローラ
２０ａ  軸
２２    ゲートローラ
２２ａ  軸
２４    キッカローラ
２４ａ  軸
２５、２６、２７    案内ローラ
３０    ステージ
３１    案内部材
３２    案内部材
４０    循環ベルト
４２    プーリ
４４    プーリ
４４ａ  軸
４４ｂ  周形状部分
４４ｃ  平面形状部分
４６    ロック部材
４６ａ  軸
４６ｂ  凹部
４６ｃ  第１の側面部分
４６ｄ  底面部分
４６ｅ  第２の側面部分
４８    ピン
５０    カム部材
５０ａ  軸
５０ｂ  開口部
５２    ピニオン部材
５２ａ  軸
５２ｂ  櫛歯部分
５４    固定部材
５６    バネ
６０    ラック部材
６０ａ  櫛歯部分
【図１】
2010061386.tif 000003
【図２】
2010061386.tif 000004
【図３】
2010061386.tif 000005
【図４】
2010061386.tif 000006
【図５】
2010061386.tif 000007
【図６】
2010061386.tif 000008